【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
患者に最小侵襲手術で使用するための開創器の最適な長さを決定するためのシステムであって、
遠位端と近位端の間を延びる基準器であって、前記基準器は、前記遠位端と当該遠位端の上にある指標部の間で所定の長さを含み、前記遠位端は、開口内で前記患者の標的部位に近接して配置可能であり、前記開口の入口位置の近位側にある前記指標部を備える、基準器と、
遠位端と近位端の間を延びる測定器であって、当該測定器に沿って延びるしるし部を有する測定器とを含んでおり、前記基準器が、前記標的部位に近接させて前記基準器の前記遠位端を前記開口内にあり、また前記測定器が、前記入口位置に近接させて前記測定器の前記遠位端を前記基準器に沿って配置されるときに、前記測定器の前記しるし部に沿った前記基準器の前記指標部の位置が、前記開口内に配置するための前記開創器の前記最適な長さの表示を提供する、システム。
【請求項２】
前記しるし部が、前記測定器の前記近位端から前記遠位端へ向かって値が増加する数値目盛りを含む、請求項１に記載のシステム。
【請求項３】
前記しるし部によって前記基準器の前記所定の長さの一部が測定され、前記一部は前記基準器が前記開口内に配置されるときに、前記入口位置から前記基準器の前記遠位端へ、遠位側に延びる、請求項１に記載のシステム。
【請求項４】
前記しるし部が前記測定器の外面上にある、請求項１に記載のシステム。
【請求項５】
前記測定器が第１の拡張器であり、前記基準器が第２の拡張器であり、前記開口内で前記第１の拡張器が前記開口内の前記第２の拡張器とともに取外し可能であり、前記遠位端が、前記開口の前記入口位置に近接して、前記第２の拡張器に沿って配置可能であるときに、前記第２の拡張器を前記第１の拡張器の周りに配置可能である、請求項１に記載のシステム。
【請求項６】
前記測定器が、前記基準器の少なくとも近位側部分の周りに配置するための大きさに作られた通路を含む、請求項１に記載のシステム。
【請求項７】
前記測定器が窓部を含み、当該窓部が前記測定器の前記遠位端と前記近位端の間を前記測定器に沿って延びる、請求項６に記載のシステム。
【請求項８】
前記しるし部が前記窓部に沿って延びる、請求項７に記載のシステム。
【請求項９】
前記開口に沿って組織を順次拡張するように、前記基準器が、互いに重なり合って配置可能ないくつかの拡張器を含む、請求項１に記載のシステム。
【請求項１０】
前記いくつかの拡張器のそれぞれが、遠位端と指標部の間に所定の長さを含み、前記測定器が、前記拡張器のうち対応するものの前記所定の長さと相関するしるし部をそれぞれ備えた一組の測定器から選択される、請求項９に記載のシステム。
【請求項１１】
前記選択された測定器が、最初に挿入された拡張器の前記所定の長さと相関するしるし部を含む、請求項１０に記載のシステム。
【請求項１２】
前記選択された測定器が、最後に挿入された拡張器の前記所定の長さと相関するしるし部を含む、請求項１０に記載のシステム。
【請求項１３】
前記指標部が前記基準器の前記近位端である、請求項１に記載のシステム。
【請求項１４】
患者に最小侵襲手術で使用するための開創器の最適な長さを決定するためのシステムであって、
遠位端と近位端の間を延びる少なくとも一つの組織拡張器であって、前記組織拡張器は、前記遠位端と当該遠位端の上にある指標部の間に所定の長さを含み、前記遠位端は、開口内で前記患者の標的部位に近接して配置可能であり、前記開口の入口位置の近位側にある前記指標部を備える、組織拡張器と、
遠位端と近位端の間を延びる測定器であって、当該測定器に沿って延びるしるし部を有する、測定器とを含んでおり、前記標的部位に近接する前記基準器の前記遠位端と、前記少なくとも１つの組織拡張器に沿う前記測定器とを備え、前記測定器が前記入口位置に近接する前記測定器の前記遠位端を備え、前記しるし部に沿った前記指標部の位置が、前記開口内に配置するための前記開創器の最適な長さの表示を提供する、システム。
【請求項１５】
前記しるし部が、前記測定器の前記近位端から前記遠位端へ向かって値が増加する数値目盛りを含む、請求項１４に記載のシステム。
【請求項１６】
前記しるし部が前記測定器の外面上にある、請求項１４に記載のシステム。
【請求項１７】
前記測定器が第１の組織拡張器であり、前記少なくとも１つの拡張器が第２の組織拡張器を含み、前記第２の組織拡張器が前記開口内で前記第１の組織拡張器の周りに配置可能であり、前記第１の組織拡張器が前記第２の拡張器とともに前記開口内で取外し可能であり、前記第２の組織拡張器に沿って前記入口位置に近接して配置可能である、請求項１４に記載のシステム。
【請求項１８】
前記測定器が、前記少なくとも１つの組織拡張器の周りに配置するための大きさに作られた通路を含む、請求項１４に記載のシステム。
【請求項１９】
前記測定器が窓部を含み、当該窓部が前記測定器の前記遠位端と近位端の間を前記測定器に沿って延びる、請求項１８に記載のシステム。
【請求項２０】
前記しるし部が前記窓部に沿って延びる、請求項１９に記載のシステム。
【請求項２１】
前記開口に沿って組織を順次拡張するように、前記少なくとも１つの組織拡張器が、互いに重なり合って配置可能ないくつかの組織拡張器を含む、請求項１４に記載のシステム。
【請求項２２】
前記いくつかの組織拡張器のそれぞれが、遠位端と指標部の間に所定の長さを含み、前記測定器が、前記組織拡張器のうち対応するものの前記所定の長さと相関するしるし部をそれぞれ備えた一組の測定器から選択される、請求項２１に記載のシステム。
【請求項２３】
前記選択された測定器が、最初に挿入された拡張器の前記所定の長さと相関するしるし部を含む、請求項２２に記載のシステム。
【請求項２４】
前記選択された測定器が、最後に挿入された拡張器の前記所定の長さに対応するしるし部を含む、請求項２２に記載のシステム。
【請求項２５】
前記指標部が前記少なくとも１つの組織拡張器の前記近位端である、請求項１４に記載のシステム。
【請求項２６】
前記しるし部によって前記少なくとも１つの組織拡張器の前記所定の長さの一部が測定され、前記一部は、前記組織拡張器が前記開口内にあるときに、前記入口位置から前記少なくとも１つの組織拡張器の前記遠位端へ、遠位側に延びる、請求項１４に記載のシステム。
【請求項２７】
患者に最小侵襲手術で使用するための開創器の最適な長さを決定するための測定器であって、
遠位端と近位端の間を延びる本体であって、前記本体が前記遠位端と前記近位端の間に沿って延びるしるし部を含み、前記しるし部が前記近位端から前記遠位端へ値が増加する目盛りを含み、前記遠位端を、前記本体が前記患者の前記標的部位と相関する指標部に沿うように前記患者の入口位置に近接して配置可能であり、それにより前記しるし部に沿った前記指標部の位置が、前記開創器の最適な長さの表示を提供する、測定器。
【請求項２８】
前記本体が少なくとも前記遠位端で開口する通路を含む、請求項２７に記載の器具。
【請求項２９】
前記本体は、当該本体に沿って延び、前記通路と連絡する窓部を含む、請求項２８に記載の器具。
【請求項３０】
前記しるし部が前記窓部に近接する、請求項２９に記載の器具。
【請求項３１】
前記本体の前記近位端から延びるハンドルをさらに含む、請求項２７に記載の器具。
【手続補正２】
【補正対象書類名】明細書
【補正対象項目名】発明の名称
【補正方法】変更
【補正の内容】
【発明の名称】最小侵襲手術で開創器の最適な長さを決定するためのシステム